(57)【要約】 【課題】  画像表示装置の使用を開始するまでの準備に手間を要さず、安定的に画像信号の通信を行なうことができる通信システム及びプロジェクタを提供すること。【解決手段】通信システム１は、電子機器３と、プロジェクタ２とを備える。電子機器３の電子機器側接続部３２と、プロジェクタ２のコンセント２８とは、電力線４で接続されている。プロジェクタ２のコンセント２８からは、電力が供給され、電子機器側接続部３２を介して電子機器本体３１に供給される。電子機器本体３１からの画像信号は、電子機器側接続部で電力信号に重畳され、電力線４を介してプロジェクタ２に出力される。【選択図】 図２
2006054725.tif 000002
【特許請求の範囲】
【請求項１】
電子機器と、
この電子機器からの画像信号に基づいて画像表示を行なう画像表示装置とを備えた通信システムであって、
前記画像表示装置は、外部電源からの電力の供給を受ける電源部と、
入力される画像信号を処理し、画像表示を行なう画像処理部と、
前記電子機器からの画像信号その他の情報信号の入力、前記電子機器への情報信号の出力、及び前記電源部に供給された電力の一部の前記電子機器への供給に使用されるコンセントと、
前記電子機器から前記コンセントに入力された信号を受信するとともに、コンセントから電子機器に向けて出力する信号をコンセントに対し出力するスプリッタとを備え、
前記電子機器から前記コンセントに入力される画像信号その他の情報信号及び前記コンセントから前記電子機器に出力される情報信号は、電力信号に重畳されており、
前記スプリッタでは、前記電子機器から前記コンセントに入力された電力信号に重畳された画像信号その他の情報信号を、前記電力信号から分離するとともに、前記コンセントに出力する情報信号を電力信号に対して重畳し、
前記電子機器は、前記画像信号その他の情報信号を生成する電子機器本体と、
前記画像表示装置からの電力及び情報信号を受け、この電力及び情報信号を前記電子機器本体に供給するとともに、電子機器本体からの画像信号その他の情報信号を前記画像表示装置に向けて出力する電子機器側接続部とを備え、
この電子機器側接続部は、画像表示装置からの電力信号に重畳された情報信号を、前記電力信号から分離するとともに、画像表示装置に出力する画像信号その他の情報信号を電力信号に対して重畳するスプリッタを備え、
前記画像表示装置のコンセントと、前記電子機器側接続部とは電力線により接続されることを特徴とする通信システム。
【請求項２】
請求項１に記載の通信システムにおいて、
前記画像表示装置は、前記コンセントとは別に、画像信号が入力される入力部を備え、
前記画像信号の入力先を選択して、切り替える切替手段を備えることを特徴とする通信システム。
【請求項３】
請求項１又は２に記載の通信システムにおいて、
前記画像表示装置の電源部からの電力は、前記スプリッタを介して前記コンセントに出力され、前記画像表示装置のスプリッタとの間には、２ＭＨｚ以上の高周波のノイズ信号をカットするノイズフィルタが配置されていることを特徴とする通信システム。
【請求項４】
請求項１から３の何れかに記載の通信システムにおいて、
前記画像表示装置は、プロジェクタであることを特徴とする通信システム。
【請求項５】
電子機器からの画像信号に基づいて画像表示を行なうプロジェクタであって、
外部電源からの電力の供給を受ける電源部と、
入力される画像信号を処理し、画像表示を行なう画像処理部と、
前記電子機器からの画像信号その他の情報信号の入力、前記電子機器への情報信号の出力、及び前記電源部に供給された電力の一部の前記電子機器への供給に使用されるコンセントと、
前記電子機器から前記コンセントに入力された信号を受信するとともに、コンセントから電子機器に向けて出力する信号をコンセントに対し出力するスプリッタとを備え、
前記画像表示装置の電源部からの電力は、前記スプリッタを介して前記コンセントに出力され、このスプリッタと、前記電源部との間には、２ＭＨｚ以上の高周波のノイズ信号をカットするノイズフィルタが配置されており、
前記電子機器から前記コンセントに入力される画像信号その他の情報信号及び前記コンセントから前記電子機器に出力される情報信号は、電力信号に重畳されており、
前記スプリッタでは、前記電子機器から前記コンセントに入力された電力信号に重畳された画像信号その他の情報信号を、前記電力信号から分離するとともに、前記コンセントに出力する情報信号を電力信号に対して重畳することを特徴とするプロジェクタ。
【発明の詳細な説明】
【技術分野】
【０００１】
本発明は、通信システム及びプロジェクタに関する。
【背景技術】
【０００２】
従来、光源から射出された光束を画像情報に応じて変調し、表示する画像表示装置，例えば、プロジェクタが利用されている。近年、このようなプロジェクタは、例えば、パーソナルコンピュータを接続してプレゼンテーションを行ったり、家庭内で映画等を見たり、種々の用途に用いられている。
このようなプロジェクタを使用する際には、プロジェクタの電源部に接続された電源ケーブルを室内のコンセント（外部電源）に挿入するとともに、パーソナルコンピュータの電源ケーブルを室内のコンセント（外部電源）に接続し、プロジェクタ及びパーソナルコンピュータのそれそれに電力を供給する。
また、プロジェクタと、パーソナルコンピュータとを、ケーブルで接続し、画像信号等の情報信号の送信を行なう（例えば、特許文献１参照）。
【０００３】
【特許文献１】特開２００４−１３３３５４号公報（第６〜７頁、図１）
【発明の開示】
【発明が解決しようとする課題】
【０００４】
このようにして、プロジェクタを使用する際には、プロジェクタの電源ケーブルと、パーソナルコンピュータの電源ケーブルとの２つの電源ケーブルを室内に設けられたコンセントに接続しなければならないため、室内に設けられたコンセントの数が足りなくなることがある。そのため、プロジェクタの電源ケーブルの配線や、パーソナルコンピュータの電源ケーブルの配線が複雑化し、プレゼンテーション等を行なうまでの準備に手間を要する場合がある。
また、プロジェクタの電源ケーブルと室内に設けられたコンセントとの接続、パーソナルコンピュータの電源ケーブルと室内に設けられたコンセントとの接続、さらには、プロジェクタと、パーソナルコンピュータとの接続を必要とするため、これによってもプレゼンテーション等を行なうまでの準備に手間を要するという問題もある。
ここで、プロジェクタと、パーソナルコンピュータとの接続を省くために、無線ＬＡＮを用いて通信を行う方法が提案されているが、無線ＬＡＮを用いた方法では、通信経路上に遮蔽物が存在すると通信が遮られることがあり、安定的に画像信号の送信を行なうことが難しいという問題もある。
【０００５】
本発明の目的は、画像表示装置の使用を開始するまでの準備に手間を要さず、安定的に画像信号の通信を行なうことができる通信システム及びプロジェクタを提供することである。
【課題を解決するための手段】
【０００６】
本発明の通信システムは、電子機器と、この電子機器からの画像信号に基づいて画像表示を行なう画像表示装置とを備えた通信システムであって、前記画像表示装置は、外部電源からの電力の供給を受ける電源部と、入力される画像信号を処理し、画像表示を行なう画像処理部と、前記電子機器からの画像信号その他の情報信号の入力、前記電子機器への情報信号の出力、及び前記電源部に供給された電力の一部の前記電子機器への供給に使用されるコンセントと、前記電子機器から前記コンセントに入力された信号を受信するとともに、コンセントから電子機器に向けて出力する信号をコンセントに対し出力するスプリッタとを備え、前記電子機器から前記コンセントに入力される画像信号その他の情報信号及び前記コンセントから前記電子機器に出力される情報信号は、電力信号に重畳されており、前記スプリッタでは、前記電子機器から前記コンセントに入力された電力信号に重畳された画像信号その他の情報信号を、前記電力信号から分離するとともに、前記コンセントに出力する情報信号を電力信号に対して重畳し、前記電子機器は、前記画像信号その他の情報信号を生成する電子機器本体と、前記画像表示装置からの電力及び情報信号を受け、この電力及び情報信号を前記電子機器本体に供給するとともに、電子機器本体からの画像信号その他の情報信号を前記画像表示装置に向けて出力する電子機器側接続部とを備え、この電子機器側接続部は、画像表示装置からの電力信号に重畳された情報信号を、前記電力信号から分離するとともに、画像表示装置に出力する画像信号その他の情報信号を電力信号に対して重畳するスプリッタを備え、前記画像表示装置のコンセントと、前記電子機器側接続部とは電力線により接続されることを特徴とする。
【０００７】
ここで、電子機器の電子機器本体と、電子機器側接続部とは一体的に構成されていてもよく、別体であってもよい。
本発明の通信システムでは、画像表示装置の電源部に供給された電力の一部は、スプリッタ、コンセントを介して、電力線に出力され、電子機器に供給される。
また、電子機器からの画像信号その他の情報信号は、電力信号に重畳されて電子機器側接続部から出力され、電力線を介して、画像表示装置のコンセントに入力される。その後、画像表示装置のスプリッタにおいて、電力信号と、画像信号その他の情報信号とが分離され、画像信号は、画像処理部にて処理される。
なお、画像表示装置からの情報信号は、画像表示装置のスプリッタで、電力信号に重畳されてコンセントから電力線に出力される。
【０００８】
このような本発明によれば、画像表示装置にコンセントを設け、このコンセントと、電子機器側接続部とを電力線で接続しており、電子機器は、この電力線を介して画像表示装置から電力の供給を受けている。従って、電子機器の電源ケーブルを室内等のコンセントに差し込む必要がなく、室内に設けられたコンセントの数が足りなくなることを防止できる。これにより、従来のように画像表示装置の電源ケーブルや、電子機器の電源ケーブルの配線が複雑となることがなく、画像表示装置の使用を開始するまでの準備に手間を要しない。
さらに、本発明では、電力線を介して、電力の供給と、画像信号等の情報信号の通信とを行なっているので、画像表示装置の電源部と外部電源とを接続し、さらに、画像表示装置と電子機器とを電力線で接続するだけで、画像表示装置を使用するための準備が終了する。そのため、画像表示装置を使用するための準備に手間を要しない。
さらに、本発明では、電力線により画像信号等の情報信号の通信を行なっており、有線で通信を行なっているので、従来のように無線ＬＡＮを用いて通信を行なう場合に比べ、安定的に画像信号等の情報信号の通信を行なうことができる。
また、通常、画像表示装置を使用する際には、電子機器及び画像表示装置を隣接して配置することが多いため、電子機器及び画像表示装置間の距離は、比較的短い距離となる。
従って、電子機器及び画像表示装置を結ぶ電力線の長さ寸法を比較的短くすることができるので、画像信号等の情報信号を送る送信電力を下げることができ、電力線からの漏洩電波を防止することができる。
【０００９】
さらに、本発明では、前記画像表示装置は、前記コンセントとは別に、画像信号が入力される入力部を備え、前記画像信号の入力先を選択して、切り替える切替手段を備えることが好ましい。
このような本発明によれば、画像表示装置では、画像信号の入力先を選択して、切り替える切替手段を備えているので、複数の電子機器を接続することが可能となる。
【００１０】
また、本発明では、前記画像表示装置の電源部からの電力は、前記スプリッタを介して前記コンセントに出力され、前記画像表示装置のスプリッタとの間には、２ＭＨｚ以上の高周波のノイズ信号をカットするノイズフィルタが配置されていることが好ましい。
このような本発明によれば、電源部と、スプリッタとの間に、ノイズフィルタを配置しているので、スプリッタには電源部からの高周波のノイズ信号が供給されない。スプリッタでは、情報信号と、電力信号とを重畳させるが、スプリッタにはノイズ信号が供給されないので、ノイズ信号が情報信号に影響を及ぼすことがない。従って、画像表示装置からの情報信号を電子機器に正確に送信することができる。
【００１１】
さらに、前記画像表示装置は、プロジェクタであることが好ましい。
また、本発明のプロジェクタは、電子機器からの画像信号に基づいて画像表示を行なうプロジェクタであって、外部電源からの電力の供給を受ける電源部と、入力される画像信号を処理し、画像表示を行なう画像処理部と、前記電子機器からの画像信号その他の情報信号の入力、前記電子機器への情報信号の出力、及び前記電源部に供給された電力の一部の前記電子機器への供給に使用されるコンセントと、前記電子機器から前記コンセントに入力された信号を受信するとともに、コンセントから電子機器に向けて出力する信号をコンセントに対し出力するスプリッタとを備え、前記画像表示装置の電源部からの電力は、前記スプリッタを介して前記コンセントに出力され、このスプリッタと、前記電源部との間には、２ＭＨｚ以上の高周波のノイズ信号をカットするノイズフィルタが配置されており、前記電子機器から前記コンセントに入力される画像信号その他の情報信号及び前記コンセントから前記電子機器に出力される情報信号は、電力信号に重畳されており、前記スプリッタでは、前記電子機器から前記コンセントに入力された電力信号に重畳された画像信号その他の情報信号を、前記電力信号から分離するとともに、前記コンセントに出力する情報信号を電力信号に対して重畳することを特徴とする。
このような本発明のプロジェクタは、上述した通信システムに使用できるものである。
【発明を実施するための最良の形態】
【００１２】
以下、本発明の実施形態を図面に基づいて説明する。
図１には、本実施形態の通信システム１が示されている。
この通信システム１は、画像表示装置としてのプロジェクタ２と、電子機器３と、プロジェクタ２及び電子機器３を接続する電力線４とを備える。
通信システム１では、プロジェクタ２を介して電子機器３に電力を供給するとともに、電子機器３からの画像信号をプロジェクタ２で受信し、プロジェクタ２において、この画像信号に基づいた画像を投射する。
ここで、プロジェクタ２と電子機器３とは、同じ室内に配置されており、プロジェクタ２及び電子機器３間を結ぶ電力線４の長さ寸法は、例えば、１ｍ以下の比較的短い長さ寸法となっている。
なお、電子機器３と、プロジェクタ２とは、ＴＣＰプロトコルによって相互通信しており、電子機器３と、プロジェクタ２とは互いにパケットを授受して相互通信を確立している。
【００１３】
プロジェクタ２は、光源ランプから出射された光束を赤（Ｒ）、緑（Ｇ）、青（Ｂ）の三原色に分離し、これらの各色光束を液晶パネルを通して画像情報に応じて変調し、投射レンズを介して投射面上に拡大表示する形式のものである。
このプロジェクタ２は、図２に示すように、光源ランプ２１と、光学ユニット２２と、投射レンズ２３と、光源ランプ２１および光学ユニット２２を電気的に制御する回路基板２４と、光源ランプ２１、光学ユニット２２、回路基板２４に電力を供給する電源ユニット（電源部）２５とを含んで構成される。
【００１４】
光源ランプ２１は、例えば、高圧水銀ランプや、メタルハライドランプやハロゲンランプ等である。
光学ユニット２２は、光源ランプ２１からの光束を図示しない色分離光学装置により各色光（赤色光、青色光、緑色光）に分離し、この分離した各色光を各色光に応じて設けられた各液晶パネル２２１（２２１Ｒ，２２１Ｇ，２２１Ｂ）で画像情報に応じて変調する。その後、液晶パネル２２１で変調した光束を図示しない色合成光学装置（例えば、クロスダイクロイックプリズム）で合成する。
この色合成光学装置で合成した光束は、投射レンズ２３により拡大投射される。
【００１５】
電源ユニット２５は、電源回路２５１を備えており、電源回路２５１には、電源ケーブルＤが接続されている。電源ケーブルＤの先端には、プラグＤ１が設けられており、このプラグＤ１を室内等に設けられたコンセント（外部電源（商用交流電源））に挿入すると、外部電源からの電力が、電源ケーブルＤを介して電源回路２５１に供給される。
この電源回路２５１は、回路基板２４に接続されており、回路基板２４上の各回路に電力を供給する。この電源回路２５１は、外部電源から、入力される交流を低電圧の直流に変換するトランスや該トランスからの出力を所定の電圧に変換する変換回路等を備えたものである。
また、この電源回路２５１は、後述するスプリッタ２７にも接続されており、電源回路２５１から一部の電力がスプリッタ２７に流れる。
【００１６】
回路基板２４は、制御回路２４１、通信データ処理回路２４２、入力切替回路（切替手段）２４３、画像処理回路２４４、液晶パネル駆動回路２４５、ランプ駆動回路２４６を備える。
制御回路２４１は、図示しない、電源スイッチ、画像調整ボタン等の信号出力に基づいて、ランプ駆動回路２４６、入力切替回路２４３、画像処理回路２４４、液晶パネル駆動回路２４５に制御信号が出力されるように構成されている。
また、制御回路２４１では、所定の情報信号、例えば、電子機器３との接続確認を行なうための接続確認信号（接続確認パケット）、電子機器３からの画像信号の出力を開始するための画像信号送信開始信号（画像信号送信開始パケット）、電子機器３からの画像信号の出力を停止するための画像信号送信停止信号（画像信号送信停止パケット）等を生成し、電子機器３に対して出力する。
【００１７】
通信データ処理回路２４２は、電子機器３からの画像信号を１フレームの単位で区切り、入力切替回路２４３を介して画像処理回路２４４に出力する。
入力切替回路２４３は、画像処理回路２４４に入力される画像信号の入力先を選択するものであり、本実施形態では、通信データ処理回路２４２、ビデオ端子（入力部）（Ｓ-Ｖｉｄｅｏ、ＣＶＢＳ）、アナログ端子（入力部）（Ｄ-Ｓｕｂ）から入力先を選択する。
このように、入力切替回路２４３を設け、画像信号の入力先を選択できるようにすることで、プロジェクタ２に複数種類の入力先を設けることができる。
【００１８】
画像処理回路２４４は、ビデオ端子（Ｓ-Ｖｉｄｅｏ、ＣＶＢＳ）、アナログ端子（Ｄ-Ｓｕｂ）、通信データ処理回路２４２から入力される画像信号を、制御回路２４１の制御信号に応じて液晶パネル駆動回路２４５に出力する回路である。
液晶パネル駆動回路２４５は、前記画像処理回路２４４から入力される画像信号に基づいて、液晶パネル２２１を駆動させる回路である。
なお、以上の画像処理回路２４４及び液晶パネル駆動回路２４５は、画像信号を処理し、画像表示を行なう画像処理部としての役割を果たしている。
ランプ駆動回路２４６は、光源ランプ２１の点消灯、輝度調整等を行う回路である。
【００１９】
さらに、このプロジェクタ２は、モデム２６と、スプリッタ２７と、コンセント２８と、ノイズフィルタ２９とを備える。
モデム２６は、電子機器３からの画像信号その他の情報信号を復調するものである。例えば、電子機器３からの画像信号は、このモデム２６で復調されて、通信データ処理回路２４２に出力される。
また、このモデム２６では、制御回路２４１で生成した情報信号を出力する際に、この情報信号を変調して、コンセント２８に送信する。
【００２０】
スプリッタ２７は、モデム２６と、このモデム２６と並列配置された電源回路２５１とに接続されている。また、このスプリッタ２７をはさんで、モデム２６、電源回路２５１と反対側にはコンセント２８が配置されており、スプリッタ２７は、コンセント２８にも接続されている。このスプリッタ２７は、コンセント２８に入力される信号を受信するとともに、コンセント２８から出力する信号をコンセント２８に対して出力する。
さらにスプリッタ２７の機能について詳しく説明すると、電子機器３から出力される画像信号等の情報信号は電力信号に重畳されているので（後述）、スプリッタ２７では、電子機器３からコンセント２８を介して入力された電力信号に重畳された画像信号その他の情報信号を、電力信号から分離する。例えば、電力信号と、入力する画像信号その他の情報信号とを周波数帯により分離する。電力信号（１００Ｖ、交流）は周波数５０Ｈｚ又は６０Ｈｚであり、画像信号その他の情報信号は、周波数２ＭＨｚ以上、３０ＭＨｚ以下であるから、これらを周波数帯で分離することができる。
また、スプリッタ２７は、電子機器３に向けて出力する情報信号を電力信号に重畳させて、コンセント２８に出力する。
【００２１】
前述したように、このスプリッタ２７をはさんで前記モデム２６及び電源回路２５１と反対側には、コンセント２８が設けられている。このコンセント２８は、電子機器３からの画像信号その他の情報信号の入力、電子機器３への情報信号の出力、及び電源回路２５１に供給された電力の一部の電子機器３への供給に使用される。
このコンセント２８には、電力線４の先端部に設けられたプラグ４１が挿入される。この電力線４の後端部は、電子機器３の電子機器側接続部３２に接続されている。
なお、スプリッタ２７では、電子機器３に向けて出力する情報信号を電力信号に重畳させているので、コンセント２８から、電力線４に出力される情報信号は、電力信号に重畳されたものとなっている。また、後述するように、電子機器３から出力される画像信号等の情報信号も電力信号に重畳されているので、電力線４を介しコンセント２８には、電力信号に重畳された情報信号が入力される。
【００２２】
ノイズフィルタ２９は、電源回路２５１と、スプリッタ２７との間に配置されている。このノイズフィルタ２９は、電源回路２５１から供給される電力のうち、電子機器３に供給される電力の高周波のノイズ信号をカットする。例えば、周波数２ＭＨｚ以上のノイズ信号をカットする。
ノイズフィルタ２９は、電源回路２５１とスプリッタ２７との間に配置されているので、スプリッタ２７には電源回路２５１からの高周波のノイズ信号が供給されない。
スプリッタ２７では、情報信号と、電力信号とを重畳させるが、スプリッタ２７にはノイズ信号が供給されないので、ノイズ信号が情報信号に影響を及ぼすことがない。従って、プロジェクタ２からの情報信号を電子機器３に正確に送信することができる。
【００２３】
電子機器３は、画像信号その他の情報信号を生成する電子機器本体３１と、電子機器側接続部３２と、電子機器本体３１及び電子機器側接続部３２を接続するケーブル３３を備える。本実施形態では、電子機器本体３１と、電子機器側接続部３２とは別体で構成されているが、電子機器本体３１に電子機器側接続部３２を組み込み、一体化してもよい。
電子機器本体３１は、本実施形態では、パーソナルコンピュータである。
この電子機器本体３１は、図示しないが、信号の入出力を行なう入出力部と、制御部と、記憶部とを備える。
制御部は、情報信号を生成し、出力する。例えば、プロジェクタ２からの情報信号を取得し、その情報信号に基づいて、記憶部に記憶された画像データを、情報信号である画像信号として入出力部から出力する。また、この制御部は、プロジェクタ２からの情報信号に応答する情報信号である応答信号（応答パケット）を生成し、出力する。
【００２４】
電子機器側接続部３２は、電子機器本体３１と、プロジェクタ２とを接続する中継器としての役割を果たすものである。この電子機器側接続部３２は、モデム３２１と、ＡＣ／ＤＣ変換器３２２と、スプリッタ３２３とを備える。
モデム３２１は、電子機器本体３１から出力されるデジタルの画像信号をアナログに変調するものである。また、プロジェクタ２から出力されたアナログの信号をデジタルの信号に復調して、電子機器本体３１に出力する。
【００２５】
スプリッタ３２３は、並列配置されたモデム３２１及びＡＣ／ＤＣ変換器３２２に接続されている。また、スプリッタ３２３をはさんで、前記モデム３２１、ＡＣ／ＤＣ変換器３２２と反対側には、電力線４が設置されており、スプリッタ３２３はこの電力線４にも接続されている。
スプリッタ３２３は、電力線４を介して入力された前記プロジェクタ２からの電力信号に重畳された情報信号を、電力信号から分離する。また、プロジェクタ２に向けて出力する情報信号を、電力信号に重畳して、電力線４に出力する。
なお、本実施形態では、電力線４は、電子機器側接続部３２から取り外し不可能となっている。
【００２６】
ケーブル３３は、電子機器側接続部３２と、電子機器本体３１とを接続する。
このケーブル３３は、図３に示すように、２本の通信線３３１と、電力線３３２と、接地線３３３とを束ねたものである。なお、このケーブル３３のうち、２本の通信線３３１は、モデム３２１に接続され、電力線３３２は、ＡＣ／ＤＣ変換器３２２に接続されている。
【００２７】
電力線４は、例えば、銅線等の導電性の材料をチューブ状の樹脂等で被覆したものであり、プロジェクタ２と、電子機器３とを接続する。電力線４の先端部にはプラグ４１が設けられている。このプラグ４１は、プロジェクタ２のコンセント２８に挿入される。
電力線４の後端部は、電子機器３の電子機器側接続部３２に接続されている。この電力線４を介して、プロジェクタ２から電子機器３に対し、電力の供給が行なわれるとともに、プロジェクタ２及び電子機器３間の画像信号等の情報信号の通信が行なわれる。
なお、電力線４を通る情報信号は、電力信号に重畳されたものとなっている。
【００２８】
以上のような通信システム１による画像信号等の情報信号の通信及び電力の供給について説明する。
図４のフローチャートを参照しながら説明する。
まず、プロジェクタ２の電源ケーブルＤのプラグＤ１を室内に設けられたコンセント（外部電源）に挿入し、プロジェクタ２の電源回路２５１に電力を供給する。
次に、電子機器側接続部３２に予め接続されている電力線４の先端のプラグ４１をプロジェクタ２のコンセント２８に挿入する。
【００２９】
次に、プロジェクタ２の電源スイッチ（図示略）をＯＮとし（処理Ｓ1-1）、さらに、電子機器本体３１の電源スイッチ（図示略）をＯＮにする（処理Ｓ2-1）。
これにより、プロジェクタ２の電源回路２５１から回路基板２４等に電力が供給される。また、電源回路２５１から、ノイズフィルタ２９、スプリッタ２７及びコンセント２８を介し、プロジェクタ２から電力が出力され（処理Ｓ1-2）、電力線４に電力が供給される。電力線４は、電子機器側接続部３２に接続されているため、この電力は、電子機器側接続部３２のスプリッタ３２３を介して、ＡＣ／ＤＣ変換器３２２に供給される。ＡＣ／ＤＣ変換器３２２では、電圧を交流から直流に変換し、ケーブル３３の電力線３３２を介して、電力は、電子機器本体３１に供給される。これにより、電子機器本体３１が電力を取得することとなる（処理Ｓ2-2）。
【００３０】
次に、作業者がプロジェクタ２のボタンを操作すると、制御回路２４１に所定の信号が入力され、制御回路２４１から、入力切替回路２４３に制御信号が出力される。この信号に基づいて、入力切替回路２４３では、画像信号の入力先を通信データ処理回路２４２に設定する（処理Ｓ1-3）。
一方、電子機器本体３１では、電力線４を介して電力が供給されると、画像信号を出力するための画像信号出力待機状態となる。
【００３１】
次に、プロジェクタ２では、プロジェクタ２と電子機器３とが接続されたことを確認するため、制御回路２４１で接続確認信号（接続確認パケット）を生成し、この接続確認信号を出力する（処理Ｓ1-4）。この接続確認信号は、モデム２６で変調された後、スプリッタ２７で電力信号に重畳され、コンセント２８、電力線４を通り、電子機器側接続部３２に送信される。電子機器側接続部３２のスプリッタ３２３では、電力信号と接続確認信号とを分離する。そして、モデム３２１で接続確認信号を復調する。この接続確認信号は、電子機器本体３１に送信される。
電子機器本体３１では、接続確認信号を受け取ると（処理Ｓ2-3）、応答信号（応答パケット）を生成し、出力する（処理Ｓ2-4）。この応答信号は、電子機器側接続部３２のスプリッタ３２３で電力信号に重畳され、電力線４、コンセント２８を介して、スプリッタ２７に供給される。スプリッタ２７では、電力信号に重畳された応答信号を分離し、応答信号はプロジェクタ２の制御回路２４１に送信される。
【００３２】
制御回路２４１が、前記応答信号を受信すると（処理Ｓ1-5）、制御回路２４１から、通信データ処理回路２４２に所定の制御信号が送られ、通信データ処理回路２４２が起動する（処理Ｓ1-6）。
また、制御回路２４１が前記応答信号を受信すると、制御回路２４１で画像信号送信開始信号（画像信号送信開始パケット）が生成される。この画像信号送信開始信号は、制御回路２４１から出力され（処理Ｓ1-7）、モデム２６で変調された後、スプリッタ２７で電力信号に重畳される。そして、コンセント２８、電力線４を通り、電子機器側接続部３２に供給される。電子機器側接続部３２のスプリッタ３２３では画像信号送信開始信号を電力信号から分離し、モデム３２１で復調して、電子機器本体３１に送信する。電子機器本体３１では、前記画像信号送信開始信号を受信する（処理Ｓ2-5）。
なお、制御回路２４１が一定時間内に、前記応答信号を受信しなかった場合には、接続確認信号が制御回路２４１から電子機器本体３１に向かって再度、出力される（処理Ｓ1-4）。
【００３３】
次に、電子機器本体３１が画像信号送信開始信号を受信すると、画像信号の出力が開始される（処理Ｓ2-6）。
電子機器本体３１では、画像データを圧縮した画像信号を生成し、送信する。
１フレーム目の画像データを送信した後は、電子機器本体３１では、送信した１フレーム目の画像データと、２フレーム目の画像データの変化領域を抽出し（処理Ｓ2-7）、この変化領域の座標を取得する（処理Ｓ2-8）。その後、変化領域の画像データを圧縮し（処理Ｓ2-9）、この圧縮画像データと、前記座標とを画像信号として出力する（処理Ｓ2-10）。
【００３４】
この画像信号は、ケーブル３３の通信線３３１を介して、電子機器側接続部３２のモデム３２１に送信される。モデム３２１では、画像信号をデジタル信号からアナログ信号に変調する。その後、スプリッタ３２３で変調された画像信号が電力信号に重畳され、電力線４に出力される。その後、プロジェクタ２で受信される（処理Ｓ1-8）。
プロジェクタ２のスプリッタ２７では、電力信号に重畳された画像信号を抽出し、この画像信号をモデム２６に入力する。モデム２６では、画像信号をデジタル信号からアナログ信号に復調する。その後、復調された画像信号は、通信データ処理回路２４２に導入される。
【００３５】
通信データ処理回路２４２では、画像信号を１フレームの単位で区切り、入力切替回路２４３を介して画像処理回路２４４に出力する。
画像処理回路２４４では、前記画像信号に含まれる圧縮画像データを伸張する。
画像信号に、１フレーム目の画像データと、２フレーム目の画像データの変化領域に対応する圧縮画像データと座標とが含まれる場合には、まず、圧縮画像データを伸張する（処理Ｓ1-9）。そして、前記画像信号に含まれる座標に基づいて、１フレーム目の画像データに対し、伸張した画像データを貼り付ける処理を行なう（処理Ｓ1-10）。
なお、各フレーム毎の画像データは、図示しないフレームメモリに記憶されている。
このようにして処理された信号は、画像処理回路２４４から液晶パネル駆動回路２４５に導入され、液晶パネル駆動回路２４５にて、液晶パネル２２１の制御が行なわれる。
そして、液晶パネルにより光束が変調され、投射レンズを介して投射画像が形成される（処理Ｓ1-11）。
【００３６】
次に、作業者が所定のボタンを操作すると、制御回路２４１に所定の信号が入力され、制御回路２４１から、入力切替回路２４３に制御信号が出力される。入力切替回路２４３では、信号の入力先を通信データ処理回路２４２以外に設定する（処理Ｓ1-12）。例えば、入力先をビデオ端子等とする。
入力切替回路２４３での入力切替が終わると、制御回路２４１で画像信号送信終了信号（画像信号送信終了パケット）が生成され、出力される（処理Ｓ1-13）。この画像信号送信終了信号をモデム２６で変調し、スプリッタ２７で電力信号に重畳する。さらに、この重畳した信号をコンセント２８を介し、電力線４にのせる。そして、この信号は、電子機器側接続部３２に入力されスプリッタ３２３で画像信号送信終了信号と、電力信号とに分離される。その後、画像信号送信終了信号は、モデム３２１で復調される。
【００３７】
モデム３２１で復調された画像信号送信終了信号は、ケーブル３３の通信線３３１を介して、電子機器本体３１に送信される（処理Ｓ2-11）。
電子機器本体３１では、前記画像信号送信終了信号を受信すると、画像信号の送信が停止される（処理Ｓ2-12）。
一方、プロジェクタ２では、画像信号送信終了信号を出力した後、制御回路２４１からは、通信データ処理回路２４２に対し制御信号が送信され、通信データ処理回路２４２の駆動が停止する（処理Ｓ1-14）。
以上により、本通信システム１におけるプロジェクタ２の処理が終了する。
【００３８】
このように本実施形態では、電子機器３の電子機器本体３１は、電力線４を介してプロジェクタ２から電力の供給を受けている。従って、電子機器３の電源ケーブルを室内等のコンセント（外部電源）に差し込む必要がなく、室内に設けられたコンセントの数が足りなくなることを防止できる。これにより、従来のようにプロジェクタの電源ケーブルや、電子機器の電源ケーブルの配線が複雑となることがなく、プロジェクタ２の使用を開始するまでの準備に手間を要しない。
さらに、本実施形態では、電力線４を介して、電力の供給と、画像信号等の情報信号の通信とを行なっているので、プロジェクタ２の電源ユニット２５と外部電源とを接続し、さらに、プロジェクタ２と電子機器３とを電力線４で接続するだけで、プロジェクタ２を使用するための準備が終了する。そのため、プロジェクタ２を使用するための準備に手間を要しない。
【００３９】
さらに、本実施形態では、電力線４により画像信号等の情報信号の通信を行なっており、有線で通信を行なっているので、従来のように無線ＬＡＮを用いて通信を行なう場合に比べ、安定的に画像信号の通信を行なうことができる。
また、通常、プロジェクタ２を使用する際には、電子機器３及びプロジェクタ２を隣接して配置することが多いため、電子機器３及びプロジェクタ２間の距離は、比較的短い距離となる。従って、電子機器３及びプロジェクタ２間を接続する電力線４の長さ寸法を比較的短くすることができ、画像信号等の情報信号を送る送信電力を下げることができる。そのため、電力線４からの漏洩電波を防止することができる。
【００４０】
なお、本発明は前述の実施形態に限定されるものではなく、本発明の目的を達成できる範囲での変形、改良等は本発明に含まれるものである。
例えば、前記実施形態では、電子機器本体３１として、パーソナルコンピュータを例示したが、これに限らず、例えば、ＤＶＤ再生装置等であってもよい。
また、前記実施形態では、電子機器本体３１から、プロジェクタ２に対し、画像信号を送信する際に、送信した１フレーム目の画像データと、２フレーム目の画像データの変化領域を抽出して、変化領域の画像データを圧縮し、この圧縮画像データと、前記座標とを画像信号として出力していたが、これには限られない。すなわち、２フレーム目の画像データをそのまま、圧縮し、画像信号として送信してもよい。
ただし、前記実施形態のように、変化領域の画像データを圧縮し、この圧縮画像データと、前記座標とを画像信号として出力する場合には、送信する画像信号のデータ量を減らすことが可能になる。
【００４１】
さらに、前記実施形態では、電子機器本体３１と、電子機器側接続部３２とを通信線３３１及び電力線３３２を備えたケーブル３３により接続していたが、これに限らず、例えば、通信線３３１と電力線３３２とが別になったケーブルでもよい。
【００４２】
さらに、前記実施形態では、プロジェクタ２は、電源回路２５１とスプリッタ２７との間に配置されるノイズフィルタ２９を備えるとしたが、これに限らず、ノイズフィルタ２９は無くてもよい。ノイズフィルタ２９を省略することで、部材点数の削減を図ることができる。
また、前記実施形態では、３つの液晶パネルを用いたプロジェクタ２を使用したが、これに限らず、４つ以上の液晶パネルを用いたプロジェクタにも適用可能である。
さらに、前記実施形態では、液晶パネルを用いたプロジェクタ２を使用したが、これに限らず、入射角度を制御することにより、光変調を行なうデジタルミラーを用いたプロジェクタを使用してもよい。
さらにまた、前記実施形態の通信システム１では、画像表示装置として、プロジェクタ２を例示したが、これに限らず、ＣＲＴディスプレイ、ＬＣＤディスプレイ等であってもよい。
【産業上の利用可能性】
【００４３】
本発明は、プロジェクタ等の画像表示装置と、パーソナルコンピュータ等を有する電子機器との間の通信に利用することができる。
【図面の簡単な説明】
【００４４】
【図１】本発明の実施形態にかかる通信システムを示す模式図。
【図２】前記通信システムを示すブロック図。
【図３】前記通信システムのケーブルを示す斜視図。
【図４】前記通信システムの動作を示すフローチャート。
【符号の説明】
【００４５】
１…通信システム、２…プロジェクタ、３…電子機器、４…電力線、２５…電源ユニット（電源部）、２７…スプリッタ、２８…コンセント、２９…ノイズフィルタ、３１…電子機器本体、３２…電子機器側接続部、２４３…入力切替回路（切替手段）、２４４…画像処理回路（画像処理部）、２４５…液晶パネル駆動回路（画像処理部）、３２３…スプリッタ
、Ｓ-Ｖｉｄｅｏ…ビデオ端子（入力部）、ＣＶＢＳ…ビデオ端子（入力部）、Ｄ-Ｓｕｂ…アナログ端子（入力部）
【図１】
2006054725.tif 000003
【図２】
2006054725.tif 000004
【図３】
2006054725.tif 000005
【図４】
2006054725.tif 000006